(57)【要約】【課題】隣接する画素の差分符号パターンを既定のパターンおよび判別基準に空間的にマッチングさせることにより、誤検出のない補間装置を提供する。【解決手段】動き補償補間回路からの補間画素候補と垂直方向補間回路からの補間画素候補を用いてプログレッシブ信号にした状態で隣接画素の差分符号パターンを作成し、そのパターンと既定パターンとの一致判定及び判別基準を満たしているかどうかを判断する（パターンマッチング）差分判別回路１と、満たしていない場合には斜め補間回路からの補間画素候補に入れ換えてから再びパターンマッチングを行う差分パターン発生判別回路２と、差分パターン発生判別回路２においても判別基準を満たしていない場合には垂直方向補間回路からの補間画素候補に注目画素を入れ換えて最終の補間画素として出力する差分パターン発生判別回路３を備えることにより、ノイズのない補間装置を実現することができる。【選択図】  図１
2004248012.tif 000002
【特許請求の範囲】
【請求項１】
異なるフィールドから補間する動き補償補間処理と、同じフィールド内２次元空間から補間する２次元空間補間処理（斜め補間処理）と、同じフィールド内の垂直方向のみの１次元空間から補間する１次元空間補間処理（垂直方向補間処理）を有するインターレース信号をプログレッシブ信号に変換（以降Ｉ／Ｐ変換という）して出力するＩ／Ｐ変換システムにおいて、前記動き補償補間処理と前記斜め補間処理と前記垂直方向補間処理のそれぞれの処理を組み合わせて得られた補間信号を用いたプログレッシブ信号の水平あるいは垂直あるいはその両方に隣接する画素の差分を求め差分信号の符号（正または負）の空間的なパターンを作成する手段と、得られた補間信号が前記空間的なパターンを用いて正しいかどうかの判別を行い、最終的な補間信号を選択する手段を有するＩ／Ｐ変換回路の補間装置。
【請求項２】
プログレッシブ信号の隣接する画素の差分を算出し、その符号を用いて作成した空間パターンとあらかじめ定めたパターンとの一致判定を行う手段と、一致したパターンによる判別基準に対して注目する補間画素が判別基準を満たしているかどうかを判断（以降パターンマッチングという）する手段と、満たしていない場合にはその注目画素を得るために使用した処理とは異なる処理より得られた補間画素に注目画素を入れ換えてから再びパターンマッチングを行う手段、を有することを特徴とする請求項１記載の補間装置。
【請求項３】
前記動き補償補間処理から得られる補間信号と、前記１次元空間補間処理から得られる補間信号を用いたプログレッシブ信号の垂直方向に隣接する画素の差分を算出して得られる符号を用いて空間パターンを作成する前段の差分パターン発生回路と、あらかじめ定めた空間パターンを記憶しておく参照用パターン保持回路と、前記前段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する前段の差分パターン判別回路と、前記前段の差分パターン判別回路からの出力信号をもとに前記前段の差分パターン発生回路から出力される補間信号と前記２次元空間補間処理から得られる補間信号を切換えて出力する前段の補間信号切換え回路と、前記前段の補間信号切換え回路の出力信号からその垂直方向に隣接する画素の差分を算出して得られる符号を用いて空間パターンを作成する後段の差分パターン発生回路と、前記後段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する後段の差分パターン判別回路と、前記後段の差分パターン判別回路からの出力信号をもとに前記前段の補間信号切換え回路から出力される補間信号と前記１次元空間補間処理から得られる補間信号を切換えて出力する後段の補間信号切換え回路とを備えたことを特徴とする請求項２記載の補間方装置。
【請求項４】
請求項３記載の後段の補間信号切換え回路からの出力信号からその水平方向に隣接する画素の差分を算出して得られる符号を用いて空間パターンを作成する終段の差分パターン発生回路と、前記終段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する終段の差分パターン判別回路と、前記終段の差分パターン判別回路からの出力信号をもとに前記後段の補間信号切換え回路から出力される補間信号と前記１次元空間補間処理から得られる補間信号を切換えて出力する終段の補間信号切換え回路とを備えたことを特徴とする請求項３記載の補間装置。
【発明の詳細な説明】
【０００１】
【発明の属する技術分野】
本発明は、Ｉ／Ｐ変換を行うシステムに関わり、さらに詳しくは動きベクトル補正処理などを用いた異なるフィールドから補間する動き補償補間処理と、斜め補正処理などを用いた同じフィールド内２次元空間から補間する２次元空間補間処理と、同じフィールド内の垂直方向のみの１次元空間から補間する１次元空間補間処理を有するＩ／Ｐ変換処理における補間装置に関わる。
【０００２】
【従来の技術】
従来の補間方式の一例を図７に示す。
【０００３】
以下、従来の補間装置について図７を参照しながら説明する。
【０００４】
図７において、７１は動き補償補間回路からの補間画素候補と斜め補正回路からの補間画素候補と垂直方向補間回路からの補間画素候補から選択して補間画素を出力する選択回路、７２は前期選択回路７１からの出力信号に対し上下に位置する画素の輝度レベルから誤検出かどうかを判断し誤検出だと判断した場合には垂直方向補間回路からの補間画素候補に入れ換えて最終的な補間画素を作成する誤検出防止回路である。
【０００５】
以上のように構成された従来の補間方式について、以下その動作を説明する。
【０００６】
選択回路７１では、入力された動き補償補間回路からの補間画素候補と斜め補正回路からの補間画素候補と垂直方向補間回路からの補間画素候補からある特定の条件で補間画素を選択する。（ここでの選択条件は本発明に直接関与しないため説明を省略する。）選択された補間画素は後段の誤検出防止回路７２に出力され、誤検出防止回路７２において特定の条件により入力された補間画素が誤検出かどうかを判断する。（ここでの特定条件も本発明に直接関与しないが）ここであげている特定条件の一例としては、上下に隣接する画素（図７におけるＰ１画素及びＰ２画素）の輝度レベル範囲に対し注目する補間画素（図７におけるＱ１画素）の輝度レベルが上記範囲内に入っているかどうかという判断条件がある。
【０００７】
また、動き補償補間回路や斜め補間回路にも誤検出防止を目的とする処理が内蔵されている場合がある。（例えば特許文献１、特許文献２参照）
以上のような動作により誤検出によるノイズの少ない動き補償補間処理や斜め補間処理を実現する補間装置を実現している。
【０００８】
【特許文献１】
特願昭６１−７１２２６号公報
【特許文献２】
特願２００１−３９０４４８号公報
【０００９】
【発明が解決しようとする課題】
しかしながらこのような例では、動き補償補間処理や２次元空間補間処理自身の誤検出防止回路や上下に隣接する画素の輝度レベルを用いた誤検出防止回路しか存在せず、動き補償補間処理や２次元空間補間処理の誤検出によるノイズを充分に除去することはできないという課題があった。
【００１０】
【課題を解決するための手段】
この課題を解決するために本発明の補間装置は、動き補償補間処理から得られる補間信号と、１次元空間補間処理から得られる補間信号を用いてプログレッシブ信号を作成するとともに、その垂直方向に隣接する画素の差分を算出して得られる符号を用いて空間パターンを作成する前段の差分パターン発生回路と、あらかじめ定めた空間パターンを記憶しておく参照用パターン保持回路と、前記前段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する前段の差分パターン判別回路と、前記前段の差分パターン判別回路からの出力信号をもとに前記前段の差分パターン発生回路から出力される補間信号と２次元空間補間処理から得られる補間信号を切換えて出力する前段の補間信号切換え回路と、前記前段の補間信号切換え回路の出力信号からその垂直方向に隣接する画素の差分を算出して得られる符号を用いて空間パターンを作成する後段の差分パターン発生回路と、前記後段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する後段の差分パターン判別回路と、前記後段の差分パターン判別回路からの出力信号をもとに前記前段の補間信号切換え回路から出力される補間信号と前記１次元空間補間処理から得られる補間信号を切換えて出力する後段の補間信号切換え回路を備え、隣接する画素の差分符号パターンをあらかじめ定めたパターンおよび判別基準に空間的にマッチングさせることによって、動きベクトル補正処理などの異なるフィールドから補間する動き補償補間処理や斜め補正処理などを用いた同じフィールド内２次元空間から補間する２次元空間補間処理自身の誤検出によるノイズを充分に除去することを特徴とする。
【００１１】
本発明によれば、隣接する画素の差分符号パターンをあらかじめ定めたパターンおよび判別基準に空間的にマッチングさせることにより、誤検出によるノイズのない動き補償補間処理や２次元空間補間処理を実現することができる。
【００１２】
【発明の実施の形態】
本発明は、動き補償補間処理から得られる補間信号と、１次元空間補間処理から得られる補間信号を用いてプログレッシブ信号を作成するとともに、その垂直方向に隣接する画素の差分を算出して得られる符号を用いて空間パターンを作成する前段の差分パターン発生回路と、あらかじめ定めた空間パターンを記憶しておく参照用パターン保持回路と、前記前段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する前段の差分パターン判別回路と、前記前段の差分パターン判別回路からの出力信号をもとに前記前段の差分パターン発生回路から出力される補間信号と２次元空間補間処理から得られる補間信号を切換えて出力する前段の補間信号切換え回路と、前記前段の補間信号切換え回路の出力信号からその垂直方向に隣接する画素の差分を算出して得られる符号を用いて空間パターンを作成する後段の差分パターン発生回路と、前記後段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する後段の差分パターン判別回路と、前記後段の差分パターン判別回路からの出力信号をもとに前記前段の補間信号切換え回路から出力される補間信号と前記１次元空間補間処理から得られる補間信号を切換えて出力する後段の補間信号切換え回路を備えたことを特徴としたものであり、隣接する画素の差分符号パターンをあらかじめ定めたパターンおよび判別基準に空間的にマッチングさせることによって、動きベクトル補正処理などの異なるフィールドから補間する動き補償補間処理や斜め補正処理などを用いた同じフィールド内２次元空間から補間する２次元空間補間処理自身の誤検出によるノイズを充分に除去することが可能になるという作用を有する。
【００１３】
（実施の形態１）
以下に本発明の第１の実施の形態について図１及び図２及び図３及び図４を用いて説明する。
【００１４】
図１において、１１は動き補償補間回路からの補間画素候補と垂直方向補間回路からの補間画素候補を用いてプログレッシブ信号にした状態で、隣接する画素の差分を算出し、その符号を用いて空間パターンを作成した際、そのパターンがあらかじめ定めたパターンとの一致判定を行い、一致したパターンに対する判別基準に対して注目する補間画素が判別基準を満たしているかどうかを判断する（パターンマッチング）差分パターン発生判別回路１、１２は満たしていない場合にはその注目画素を得るために使用した処理とは異なる処理より得られた補間画素（図１では斜め補間回路からの補間画素候補）に注目画素を入れ換えてから再びパターンマッチングを行う差分パターン発生判別回路２、１３は前記差分パターン発生判別回路２においても判別基準を満たしていない場合には垂直方向補間回路からの補間画素候補に注目画素を入換えて最終の補間画素として出力する差分パターン発生判別回路３である。
【００１５】
以上のように構成された図１の補間方式について図２及び図３及び図４を用いてその動作を説明する。
【００１６】
図２は、動き補償補間回路からの補間画素候補と垂直方向補間回路からの補間画素候補を用いてプログレッシブ信号にした状態を示した図である。
【００１７】
図２において、ラインＮ及びラインＮ＋１及びラインＮ＋２は入力されたインターレース信号に含まれる現フィールドの信号であり、その間にラインＭ及びラインＭ＋１を補間してプログレッシブ信号を作成している。
【００１８】
また、注目画素をラインＭ＋１に存在するＥ３画素とし、ラインＭ及びラインＭ＋１に存在するＡ＊及びＥ＊画素は動き補償補間回路からの補間画素候補とし、Ｂ＊及びＦ＊画素は垂直方向補間回路からの補間画素候補とする。
【００１９】
図３は、図２において示したプログレッシブ信号に対しある１例として具体的な数値を代入し図３（ａ）、その具体的数値に基づいて隣接画素（この場合は垂直方向）の差分を算出しその符号を示した図３（ｂ）ものである。
【００２０】
図３に示すような差分符号の空間的なパターンを作成し、あらかじめ定めておいた空間パターンとマッチングを行い、一致したパターンにおける判断基準を注目画素が満たしているかどうかを判断する。この判断基準を注目画素が満たしていれば注目画素をそのまま出力するが、満たしていない場合には後段の回路で再度その注目画素を得るために使用した処理とは異なる処理より得られた補間画素（図１では斜め補間回路からの補間画素候補）に注目画素を入れ換えてから再びパターンマッチングを行う。
【００２１】
ここで図４を用いてパターンマッチングにおける判断基準の一例を説明する。
【００２２】
図４（ａ）は判断基準の一例であり、注目画素をＡ３としある方向に隣接する画素を近いほうからＡ２，Ａ１とし、反対の方向に隣接する画素を近いほうからＡ４，Ａ５とする。Ｂ１はＡ１及びＡ２を通る直線を作成した場合のＡ３の位相における点（Ａ２−Ａ１の傾きでＡ３を作成した場合の仮想的なＡ３の位相における点）であり、Ｂ２はＡ４及びＡ５を通る直線を作成した場合のＡ３の位相における点（Ａ４−Ａ５の傾きでＡ３を作成した場合の仮想的なＡ３の位相における点）であり、Ｃ１はＡ２とＡ４の中点である。
図４（ａ）における判断基準は、注目するＡ３画素がＢ１，Ｂ２，Ｃ１の最大値（この場合Ｂ１＝ｍａｘ｛Ｂ１，Ｂ２，Ｃ１｝）以下であり、Ｂ１，Ｂ２，Ｃ１の最小値（この場合Ｂ２＝ｍｉｎ｛Ｂ１，Ｂ２，Ｃ１｝）以上であることである。
【００２３】
図４（ｂ）は異なる差分符号パターンにおける判断基準の一例であり、注目画素をＡ３としある方向に隣接する画素を近いほうからＡ２，Ａ１とし、反対の方向に隣接する画素を近いほうからＡ４，Ａ５とする。Ｂ３はＡ１及びＡ２を通る直線の傾きを２倍にした場合のＡ３の位相における点（Ａ２−Ａ１の２倍の傾きでＡ３を作成した場合の仮想的なＡ３の位相における点）であり、Ｂ４はＡ４及びＡ５を通る直線の傾きを２倍にした場合のＡ３の位相における点（Ａ４−Ａ５の２倍の傾きでＡ３を作成した場合の仮想的なＡ３の位相における点）であり、Ｃ１はＡ２とＡ４の中点である。
【００２４】
図４（ｂ）における判断基準は、注目するＡ３画素がＢ３，Ｂ４，Ｃ１の最大値（この場合Ｂ４＝ｍａｘ｛Ｂ３，Ｂ４，Ｃ１｝）以下であり、Ｂ３，Ｂ４，Ｃ１の最小値（この場合Ｃ１＝ｍｉｎ｛Ｂ３，Ｂ４，Ｃ１｝）以上であることである。
【００２５】
このようにして一致したパターンにおける判断基準を注目画素が満たしているかどうかを判断し、この判断基準を注目画素が満たしていれば注目画素をそのまま出力するが、満たしていない場合には後段の回路で再度その注目画素を得るために使用した処理とは異なる処理より得られた補間画素（図１では斜め補間回路からの補間画素候補）に注目画素を入れ換えてから再びパターンマッチングを行う。
【００２６】
以上ようにして、隣接する画素の差分符号パターンをあらかじめ定めたパターンおよび判別基準に空間的にマッチングさせることにより、誤検出によるノイズのない動き補償補間処理や斜め補間処理を実現することができる。
【００２７】
なお、以上の実施の形態１での説明は、一例を説明したものであり、これ以外の実現方法も可能である。
【００２８】
（実施の形態２）
以下に本発明の第２の実施の形態について図５を用いて説明する。実施の形態１と同じ回路及び同じ動作を行う部分や本発明に直接関連しない部分は説明を省略する。
【００２９】
図５において、２１は動き補償補間回路から得られる補間画素候補と、垂直方向補間回路から得られる補間画素候補を用いてプログレッシブ信号を作成するとともに、その垂直方向に隣接する画素の差分を算出して得られる符号を用いて空間パターンを作成する前段の差分パターン発生回路、２２はあらかじめ定めた空間パターンを記憶しておく参照用パターン保持回路、２３は前記前段の差分パターン発生回路から出力される空間パターンと前記参照用パターン保持回路から出力される空間パターンを比較し一致した参照用パターンに対しあらかじめ定めた判別基準を注目する補間画素が満たしているかを判断する前段の差分パターン判別回路、２４は前記前段の差分パターン判別回路からの出力信号をもとに前記前段の差分パターン発生回路から出力される補間信号と前記斜め補間回路から得られる補間画素候補を切換えて出力する前段の補間信号切換え回路、２５は前記前段の補間信号切換え回路の出力信号からその垂直方向に隣接する画素の差分を算出して得られる符号を用いて空間パターンを作成する後段の差分パターン発生回路、２６は前記後段の差分パターン発生回路から出力される空間パターンと前記参照用パターン保持回路から出力される空間パターンを比較し一致した参照用空間パターンに対しあらかじめ定めた判別基準を注目する補間画素が満たしているかを判断する後段の差分パターン判別回路、２７は前記後段の差分パターン判別回路からの出力信号をもとに前記前段の補間信号切換え回路から出力される補間信号と前記垂直方向補間回路から得られる補間画素候補を切換えて出力する後段の補間信号切換え回路である。
【００３０】
以上のように構成された図５の補間方式について以下にその動作を説明する。ここでは、実施の形態１で説明した内容については説明を省略する。
【００３１】
前段の差分パターン発生回路２１では、動き補償補間回路から得られる補間画素候補と、垂直方向補間回路から得られる補間画素候補を用いてプログレッシブ信号を作成し前段の保管信号切換え回路２４に出力するとともに、図３に示すような垂直方向の画素差分符号パターンを作成し前段の差分パターン判別回路２３に出力する。前段の差分パターン判別回路２３では、前段の差分パターン発生回路２１からのパターンと参照用パターン保持回路からのパターンを比較し一致する参照用パターンを選択し、選択した参照用パターンに基づく判断基準を注目画素が満たしているかどうかを判断する。前段の補間信号切換え回路２４では、前段の差分パターン発生回路から出力される補間信号の注目画素を前段の差分パターン判別回路２３からの出力信号をもとに斜め補間回路からの補間画素候補と入換えて新たな補間信号を作成し出力する。後段の差分パターン発生回路２５では、前段の補間信号切換え回路２４から出力された新たな補間信号をもとに垂直方向の画素差分符号パターンを作成し後段の差分パターン判別回路２６に出力する。後段の差分パターン判別回路２６では、後段の差分パターン発生回路２５からのパターンと参照用パターン保持回路からのパターンを比較し一致する参照用パターンを選択し、選択した参照用パターンに基づく判断基準を注目画素が満たしているかどうかを判断する。後段の補間信号切換え回路２７では、前段の補間信号切換え回路２４から出力される補間信号の注目画素を後段の差分パターン判別回路２６からの出力信号をもとに垂直方向補間回路からの補間画素候補と入換えて再度新たな補間信号を作成し最終の補間画素として出力する。
【００３２】
以上ようにして、垂直方向に隣接する画素の差分符号パターンをあらかじめ定めたパターンおよび判別基準に空間的にマッチングさせることにより、誤検出によるノイズのない動き補償補間処理や斜め補間処理を実現することができる。
【００３３】
なお、以上の実施の形態２での説明は、一例を説明したものであり、これ以外の実現方法も可能である
（実施の形態３）
以下に本発明の第３の実施の形態について図６を用いて説明する。実施の形態１及び実施の形態２と同じ回路及び同じ動作を行う部分や本発明に直接関連しない部分は説明を省略する。
【００３４】
図６において、３１は請求項３記載の後段の補間信号切換え回路２７からの出力信号からその水平方向に隣接する画素の差分を算出して得られた符号を用いて空間パターンを作成する終段の差分パターン発生回路、３２は前記終段の差分パターン発生回路３１から出力される空間パターンと前記参照用パターン保持回路から出力される空間パターンを比較し一致した参照用空間パターンに対しあらかじめ定めた判別基準を注目する補間画素が満たしているかを判断する終段の差分パターン判別回路、３３は前記終段の差分パターン判別回路３２からの出力信号をもとに前記後段の補間信号切換え回路２７から出力される補間信号と垂直方向補間回路から得られる補間画素候補を切換えて出力する終段の補間信号切換え回路である。
以上のように構成された図６の補間方式について以下にその動作を説明する。ここでは、実施の形態１及び実施の形態２と異なる部分についてのみ説明する。
終段の差分パターン発生回路３１では、後段の補間信号切換え回路２７から出力された補間信号をもとに水平方向の画素差分符号パターンを作成し終段の差分パターン判別回路３２に出力する。終段の差分パターン判別回路３２では、終段の差分パターン発生回路３１からのパターンと参照用パターン保持回路からのパターンを比較し一致する参照用パターンを選択し、選択した参照用パターンに基づく判断基準を注目画素が満たしているかどうかを判断する。終段の補間信号切換え回路３３では、後段の補間信号切換え回路２７から出力される補間信号の注目画素を終段の差分パターン判別回路３２からの出力信号をもとに垂直方向補間回路からの補間画素候補と入れ換えて新たな補間信号を作成し最終の補間画素として出力する。
【００３５】
以上ようにして、垂直方向及び水平方向に隣接する画素の差分符号パターンをあらかじめ定めたパターンおよび判別基準に空間的にマッチングさせることにより、誤検出によるノイズのない動き補償補間処理や斜め補間処理を実現することができる。
【００３６】
なお、以上の実施の形態３での説明は、一例を説明したものであり、これ以外の実現方法も可能である
【００３７】
【発明の効果】
以上のように本発明の補間方式によれば、隣接する画素の差分符号パターンをあらかじめ定めたパターンおよび判別基準に空間的にマッチングさせることにより、誤検出によるノイズのない動き補償補間処理や２次元空間補間処理を実現することができる。
【図面の簡単な説明】
【図１】本発明における請求項１及び請求項２記載の補間方式のブロック図
【図２】異なる２つの補間回路を用いて作成したプログレッシブ信号を示した図
【図３】プログレッシブ信号の具体的数値及びその隣接画素の差分符号を示した図
【図４】本発明の一実施の形態における判断基準の一例を示す図
【図５】本発明における請求項３記載の補間方式のブロック図
【図６】本発明における請求項４記載の補間方式のブロック図
【図７】従来の補間方式のブロック図
【符号の説明】
１１  差分パターン発生判別回路１
１２  差分パターン発生判別回路２
１３  差分パターン発生判別回路３
２１  前段の差分パターン発生回路
２２  参照用パターン保持回路
２３  前段の差分パターン判別回路
２４  前段の補間信号切換え回路
２５  後段の差分パターン発生回路
２６  後段の差分パターン判別回路
２７  後段の補間信号切換え回路
３１  終段の差分パターン発生回路
３２  終段の差分パターン判別回路
３３  終段の補間信号切換え回路
７１  選択回路
７２  誤検出防止回路
Ａ  動き補償補間回路からの補間画素候補
Ｂ  垂直方向補間回路からの補間画素候補
Ｃ  斜め補間回路からの補間画素候補
Ｄ  最終の補間画素
【図１】
2004248012.tif 000003
【図２】
2004248012.tif 000004
【図３】
2004248012.tif 000005
【図４】
2004248012.tif 000006
【図５】
2004248012.tif 000007
【図６】
2004248012.tif 000008
【図７】
2004248012.tif 000009